(57)【要約】      （修正有）【課題】ソケットレンチ、ラチェットレンチ、スパナラチェットレンチ又はメガネレンチに容易に取り付けることができ、かつ頭部が四角形のボルトを容易に締めたり緩めたりすることができるタップアタッチメントを提供する。【解決手段】タップアタッチメント１０は、ソケットレンチ、ラチェットレンチ若しくはスパナラチェットレンチのソケット又はメガネレンチの取付穴に嵌込み可能であって、かつ外形が六角柱１１で内側に表裏を貫通する四角柱穴１２が形成されている。【選択図】図１
0003224231.tif 000002
【実用新案登録請求の範囲】
【請求項１】
ソケットレンチ、ラチェットレンチ、若しくはスパナラチェットレンチのソケット又はメガネレンチの取付穴に嵌込み可能であって、かつ外形が六角柱で内側に表裏を貫通する四角柱穴が形成されているタップアタッチメント。
【考案の詳細な説明】
【技術分野】
【０００１】
本考案は、頭部が四角形のボルトを締めたり緩めたりできるタップアタッチメントに関し、より詳細には、ソケットレンチ、ラチェットレンチ又はメガネレンチに取り付けることで、頭部が四角形のボルトを締めたり緩めたりできるタップアタッチメントに関する。
【背景技術】
【０００２】
機械部品の締め付け固定では、頭部が六角形のボルト（六角ボルト）や頭部に六角形の穴が形成されたボルト（六角穴付きボルト）が使用されることが多いが、強固な締め付けが必要な部位や簡単に取り外しできないようにするために頭部が四角形のボルト（角スボルト）が使用されることもある。
【０００３】
角スボルトは、頭部が四角柱で構成されているので六角柱で構成される六角ボルトと比べて頭部がつぶれにくいという利点がある。このような角スボルトのネジ締めは、一般的には、Ｔ型四角ボックスレンチによって行なわれている。Ｔ型四角ボックスレンチで角スボルトを締めることにより、六角ボルトよりも高トルクで締めることができるのでしっかり固定することができるというメリットがある。
【０００４】
上記Ｔ型四角ボックスレンチは、ネジを締める際にネジの軸方向に十分な作業スペースが必要となるので、閉所で作業できない場合もある。そこで、作業スペースを必要としない方法として、特許文献１（特開２０１１−５６６５３号公報）には、上記角スボルトのネジ締めをラチェットレンチで行う技術が開示されている。
【０００５】
特許文献１（特開２０１１−５６６５３号公報）は、上記角スボルトのネジ締めをラチェットレンチで行うためのアダプタが開示されている。このラチェットレンチのアダプタは、ラチェットレンチのソケットの上側から、蝶ナットと平ワッシャとを取り付けるとともに、ラチェットレンチのソケットの下側から、蝶ナット、平ワッシャ、全ネジボルト、正六角柱、薄い円盤、正四角柱を取り付けることにより一体としている。
【０００６】
特許文献１に開示のアダプタをラチェットレンチに適用することで、あらゆる形状の穴が開いたボルトをネジ締めすることができる。しかも、アダプタの製造コストは、ラチェットハンドルやメガネレンチ、スパナに比べて安価であるという利点もある。
【先行技術文献】
【特許文献】
【０００７】
【特許文献１】特開２０１１−０５６６５３号公報
【考案の概要】
【考案が解決しようとする課題】
【０００８】
しかしながら、特許文献１に開示の形状のアダプタは、ラチェットレンチに取り付ける作業が煩わしいという問題があった。
【０００９】
本考案は、上記の問題を解決するためになされたものであり、その目的とするところは、ソケットレンチ、ラチェットレンチ、スパナラチェットレンチ又はメガネレンチに容易に取り付けることができ、かつ頭部が四角形のボルトを容易に締めたり緩めたりすることができるタップアタッチメントを提供するところにある。
【課題を解決するための手段】
【００１０】
上記目的を達成するために、本考案のタップアタッチメントは、ソケットレンチ若しくはラチェットレンチのソケット又はメガネレンチの取付穴に嵌込み可能であって、かつ外形が六角柱で内側に表裏を貫通する四角柱穴が形成されていることを特徴とする。
【００１１】
本考案のタップアタッチメントは、外形が六角柱であることにより、ソケットレンチ、ラチェットレンチ、若しくはスパナラチェットレンチのソケット又はメガネレンチの取付穴にピッタリと嵌め込むことができる。このように本考案のタップアタッチメントを嵌め込むことで、ソケットレンチ若しくはラチェットレンチのソケット並びにメガネレンチの取付穴の断面形状を六角形から四角形に変換することができる。これにより、ソケットレンチ、ラチェットレンチ又はメガネレンチで、頭部が四角柱のボルト（各シボルト）を容易に締めたり緩めたりすることが可能となる。本考案のタップアタッチメントは、従来のＴ型四角ボックスレンチに比べて小型であるため、例えば、ラチェットボックスに入れておくだけで、四角柱のボルトのネジを締めたり緩めたりに対応可能となる。
【図面の簡単な説明】
【００１２】
【図１】本考案のタップアタッチメントの斜視図（Ａ）及び上面図（Ｂ）である。
【図２】本考案のタップアタッチメントを、ソケットレンチのソケットに取り付けた状態を示す上面図（Ａ）及び側面図（Ｂ）である。
【図３】本考案のタップアタッチメントを、メガネレンチの取付穴に取り付けた状態を示す上面図（Ａ）及び側面図（Ｂ）である。
【図４】本考案のタップアタッチメントを、ラチェットレンチのソケットに取り付けた状態を示す上面図（Ａ）及び側面図（Ｂ）である。
【図５】本考案のタップアタッチメントを、スパナラチェットレンチのソケットに取り付けた状態を示す上面図（Ａ）及び側面図（Ｂ）である。
【考案を実施するための形態】
【００１３】
以下において、図面を参照しながら本考案の好ましい実施形態の特徴及び構造を説明する。
【００１４】
（タップアタッチメント）
図１は、本考案のタップアタッチメントの斜視図（Ａ）及び上面図（Ｂ）である。本考案のタップアタッチメント１０は、図１（Ａ）及び（Ｂ）に示すように、ソケットレンチ、ラチェットレンチ、若しくはスパナラチェットレンチのソケット又はメガネレンチの取付穴に嵌込み可能であって、かつ外形が六角柱１１で内側に表裏を貫通する四角柱穴１２が形成されている。図１（Ａ）及び（Ｂ）に示す六角柱１１及び四角柱穴１２の寸法は一例にすぎず、角スボルトの頭部の四角形の寸法に応じて適宜変更することができる。通常は、四角柱穴１２の外形の大きさが異なる複数のタップアタッチメント１０を常備しておくことが好ましい。
【００１５】
図１（Ａ）及び（Ｂ）には示されていないが、本考案のタップアタッチメント１０の外形を構成する六角柱１１の外側は、面取り加工されていることが好ましい。これにより本考案のタップアタッチメント１０を取り付けるときの怪我を防止することができる。また六角柱１１の厚み（上下方向の長さ）は、特に限定されるものではなく、用途に応じて適宜変更することができる。
【００１６】
四角柱穴１２は、六角柱１１の表裏を貫通する形状であって、かつ、図１（Ｂ）に示すように面取り加工されていることが好ましい。これにより角スボルトの頭部に本考案のタップアタッチメント１０を嵌め込みやすくすることができる。この四角柱穴１２の外形は用途に応じて大小が変更される。
【００１７】
以下に、本考案のタップアタッチメント１０の具体的な実施形態を説明する。
【００１８】
（第１実施形態）
本実施形態では、ソケットレンチ２０のソケット２３に本考案のタップアタッチメント１０を取り付けている。図２は、本考案のタップアタッチメントをソケットレンチのソケットに取り付けた状態を示す上面図（Ａ）及び側面図（Ｂ）である。本実施形態のソケットレンチ２０は、作業者の持ち手となる持ち手部２１と、持ち手部２１の先端に設けられたラチェットハンドル２２と、ラチェットハンドル２２に取り付けられたソケット２３とを含む。このソケット２３に本考案のタップアタッチメント１０が取り付けられている。このようにタップアタッチメント１０を取り付けることにより、市販のソケットレンチ２０で角スボルトを締めたり緩めたりすることができる。
【００１９】
本考案のタップアタッチメント１０は外形が六角形であるため、ソケットレンチ２０のソケット２３に嵌め込むだけの作業で、本考案のタップアタッチメント１０を容易に取り付けることができる。本考案のタップアタッチメント１０を取り付けたソケットレンチ２０を用いることにより、従来のＴ型四角ボックスレンチでは角スボルトを締めたり緩めたりできないようなスペースの限られた場所でも角スボルトを締めたり緩めたりすることができる。
【００２０】
本実施形態では、図２（Ｂ）に示す通り、ソケットレンチ２０の側面視において直線形状となっているが、このような形状のみに限られるものではなく、側面視におけるソケット２３の部分のみが持ち手部２１に対して上側又は下側に折れ曲がった形状であってもよい。ただし、角スボルトのネジ締めスペースが限られている場合にも簡便にネジ締めが行い得るという観点からは、図２（Ｂ）に示す通り、側面視におけるソケットレンチ２０が直線形状となっていることが好ましい。
【００２１】
（第２実施形態）
本実施形態では、メガネレンチ３０の取付穴３２に本考案のタップアタッチメント１０を取り付けている。図３は、本考案のタップアタッチメントをメガネレンチの取付穴に取り付けた状態を示す上面図（Ａ）及び側面図（Ｂ）である。本実施形態のメガネレンチ３０は、作業者の持ち手となる持ち手部３１と、持ち手部の両端近傍に設けられた取付穴３２とを有している。この取付穴３２に本考案のタップアタッチメント１０が取り付けられている。このようにタップアタッチメント１０を取り付けることにより、市販のメガネレンチ３０で角スボルトを締めたり緩めたりすることができる。
【００２２】
本考案のタップアタッチメント１０は外形が六角形であるため、メガネレンチ３０の取付穴３２に嵌め込むだけの作業で、本考案のタップアタッチメント１０を容易に取り付けることができる。本考案のタップアタッチメント１０を取り付けたメガネレンチ３０を用いることにより、従来のＴ型四角ボックスレンチでは角スボルトを締めたり緩めたりできないようなスペースの限られた場所でも角スボルトを締めたり緩めたりすることができる。
【００２３】
本実施形態では、図３（Ｂ）に示す通り、メガネレンチ３０の側面視において直線形状となっているが、このような形状のみに限られるものではなく、側面視における取付穴３２の部分のみが持ち手部３１に対して上側又は下側に折れ曲がった形状であってもよい。ただし、角スボルトのネジ締めスペースが限られている場合にも簡便にネジ締めが行い得るという観点から、図３（Ｂ）に示す通り、側面視におけるメガネレンチ３０が直線形状となっていることが好ましい。
【００２４】
（第３実施形態）
本実施形態では、ラチェットレンチ４０のソケット４２に本考案のタップアタッチメント１０を取り付けている。図４は、本考案のタップアタッチメントをラチェットレンチ４０のソケット４２に取り付けた状態を示す上面図（Ａ）及び側面図（Ｂ）である。本実施形態のラチェットレンチ４０は、作業者の持ち手となる持ち手部４１と、持ち手部４１の先端近傍に設けられたソケット取付穴４２と、当該ソケット取付穴４２に嵌め込まれたソケット４３とを有している。このソケット４３に本考案のタップアタッチメント１０が取り付けられている。このようにタップアタッチメント１０を取り付けることにより、市販のラチェットレンチ４０で角スボルトを締めたり緩めたりすることができる。
【００２５】
本考案のタップアタッチメント１０は外形が六角形であるため、ラチェットレンチ４０のソケット４３に嵌め込むだけの作業で、本考案のタップアタッチメント１０を容易に取り付けることができる。本考案のタップアタッチメント１０を取り付けたラチェットレンチ４０を用いることにより、従来のＴ型四角ボックスレンチでは角スボルトを締めたり緩めたりできないようなスペースの限られた場所でも角スボルトを締めたり緩めたりすることができる。
【００２６】
本実施形態では、図４（Ｂ）に示す通り、ラチェットレンチ４０の側面視において直線形状となっているが、このような形状のみに限られるものではなく、側面視におけるソケット４３の部分のみが持ち手部４１に対して上側又は下側に折れ曲がった形状であってもよい。ただし、角スボルトのネジ締めスペースが限られている場合にも簡便にネジ締めが行い得るという観点から、図４（Ｂ）に示す通り、側面視におけるラチェットレンチ４０が直線形状となっていることが好ましい。
【００２７】
（第４実施形態）
本実施形態では、スパナラチェットレンチ５０のソケット５２に本考案のタップアタッチメント１０を取り付けている。図５は、本考案のタップアタッチメントをスパナラチェットレンチ５０のソケット５２に取り付けた状態を示す上面図（Ａ）及び側面図（Ｂ）である。本実施形態のスパナラチェットレンチ５０は、作業者の持ち手となる持ち手部５１と、持ち手部５１の一方の先端近傍に設けられたソケット取付穴５２と、当該ソケット取付穴５２に嵌め込まれたソケット５３と、持ち手部５１の多方の先端に設けられたオープンエンド部５４（頭部）とを有している。このソケット５３に本考案のタップアタッチメント１０が取り付けられている。このようにタップアタッチメント１０を取り付けることにより、市販のスパナラチェットレンチ５０で角スボルトを締めたり緩めたりすることができる。
【００２８】
本考案のタップアタッチメント１０は外形が六角形であるため、スパナラチェットレンチ５０のソケット５３に嵌め込むだけの作業で、本考案のタップアタッチメント１０を容易に取り付けることができる。本考案のタップアタッチメント１０を取り付けたスパナラチェットレンチ５０を用いることにより、従来のＴ型四角ボックスレンチでは角スボルトを締めたり緩めたりできないようなスペースの限られた場所でも角スボルトを締めたり緩めたりすることができる。特に、図５（Ｂ）に示すような薄型のスパナラチェットレンチ５０を用いることにより、角スボルトの軸方向に別の部品などが存在する場合でも角スボルトを締めたり緩めたりが可能となる。
【００２９】
上記説明は、本考案の好ましい実施形態を説明したものに過ぎず、本明細書及び実用新案登録請求の範囲に適用される他の均等な構造的変更についても本考案の範囲に含まれるものとする。
【符号の説明】
【００３０】
１０  タップアタッチメント
１１  六角柱
１２  四角柱穴
２０  ソケットレンチ
２１  持ち手部
２２  ラチェットハンドル
２３  ソケット
３０  メガネレンチ
３１  持ち手部
３２  取付穴
４０  ラチェットレンチ
４１  持ち手部
４２  ソケット取付穴
４３  ソケット
５０  スパナラチェットレンチ
５１  持ち手部
５２  ソケット取付穴
５３  ソケット
５４  オープンエンド部
【図１】
0003224231.tif 000003
【図２】
0003224231.tif 000004
【図３】
0003224231.tif 000005
【図４】
0003224231.tif 000006
【図５】
0003224231.tif 000007